(57)【要約】【課題】  格子状をなす整位板部の桟間の隙間に紙葉類を入り込ませることがないようにする。【解決手段】  垂直状をなし、所定間隔を存して並列に配設される複数本の桟１２…により構成される格子部５に対し、入れ子状に取り付けられて積層紙葉類Ｐを載置する櫛歯状のバックアップ部７，８を有し、このバックアップ部７，８に載置された積層紙葉類を格子部５に当接させて整位したのちバックアップ部７，８を上昇させて所定位置に供給する供給機構２２と、格子部５の桟１２，１２間の隙間Ｓにその上下方向に亘って複数配設され、桟１２，１２間の隙間Ｓへの紙葉類Ｐの入り込みを規制するブラシ材１４…とを具備する。【選択図】      図１
2005170534.tif 000002
【特許請求の範囲】
【請求項１】
垂直状をなし、所定間隔を存して並列に配設される複数本の桟により格子状に構成される整位板部に対し、入れ子状に取り付けられて積層紙葉類を載置する櫛歯状の載置部を有し、この載置部に載置された積層紙葉類を前記整位板部に当接させて整位したのち前記載置部を上昇させて所定位置に供給する供給手段と、
前記整位板部の桟間の隙間にその上下方向に亘って複数配設され、前記桟間の隙間への紙葉類の入り込みを規制する規制部材と
を具備することを特徴とする紙葉類供給装置。
【請求項２】
前記規制部材は柔軟材により形成されたことを特徴とする請求項１記載の紙葉類供給装置。
【請求項３】
前記柔軟材はナイロン系の合成樹脂材であることを特徴とする請求項２記載の紙葉類供給装置。
【請求項４】
前記規制部材の配設ピッチは、前記紙葉類の幅寸法よりも小さいことを特徴とする請求項１記載の紙葉類供給装置。
【請求項５】
垂直状をなし、所定間隔を存して並列に配設される複数本の桟により格子状に構成される整位板部に対し、入れ子状に取り付けられて積層紙葉類を載置する櫛歯状の載置部を有し、この載置部に載置された積層紙葉類を前記整位板部に当接させて整位したのち前記載置部を上昇させて所定位置に供給する供給手段と、
前記整位板部の桟間の隙間にその上下方向に亘って複数配設され、前記桟間の隙間への紙葉類の入り込みを規制する規制部材と、
前記供給手段により供給された積層紙葉類から紙葉類を取出す取出手段と
を具備することを特徴とする紙葉類取出装置。
【請求項６】
前記規制部材は柔軟材により形成されたことを特徴とする請求項５記載の紙葉類取出装置。
【請求項７】
前記柔軟材はナイロン系の合成樹脂材であることを特徴とする請求項６記載の紙葉類取出装置。
【請求項８】
前記規制部材の配設ピッチは、前記紙葉類の幅寸法よりも小さいことを特徴とする請求項５記載の紙葉類取出装置。
【発明の詳細な説明】
【技術分野】
【０００１】
本発明は、例えば、紙幣や有価証券など紙葉類を供給する紙葉類供給装置及びこの供給装置によって供給される紙葉類を取出す紙葉類取出装置に関する。
【背景技術】
【０００２】
この種の紙葉類取出装置には、奥側に設けられた格子状をなす整位板部（以下、格子部という）に対し、入れ子状に取り付けられる櫛歯状の載置部を備え、この載置部に積層紙葉類を載置し、この載置した積層紙葉類を格子部に当接して整位したのち、載置部を上昇させて積層紙葉類の上面を取出ローラに接触させ、この取出ローラの回転により紙葉類を一枚ずつ取り出すものがある（例えば、特許文献１参照。）
【特許文献１】特開２００３−２６７５６９号公報
【発明の開示】
【発明が解決しようとする課題】
【０００３】
しかしながら、従来においては、格子部の桟間の隙間が開放されたままの状態になっていたため、紙葉類の取出時に紙葉類が傾いたりすると桟間の隙間に入り込んで奥側に脱落してしまう恐れがあった。
【０００４】
本発明は上記事情に着目してなされたもので、格子状をなす整位板部の桟間の隙間に紙葉類を入り込ませることがないようにした紙葉類供給装置及び紙葉類取出装置を提供することを目的とする。
【課題を解決するための手段】
【０００５】
上記課題を解決するため、請求項１記載のものは、垂直状をなし、所定間隔を存して並列に配設される複数本の桟により格子状に構成される整位板部に対し、入れ子状に取り付けられて積層紙葉類を載置する櫛歯状の載置部を有し、この載置部に載置された積層紙葉類を前記整位板部に当接させて整位したのち前記載置部を上昇させて所定位置に供給する供給手段と、前記整位板部の桟間の隙間にその上下方向に亘って複数配設され、前記桟間の隙間への紙葉類の入り込みを規制する規制部材とを具備する。
【０００６】
請求項５記載のものは、垂直状をなし、所定間隔を存して並列に配設される複数本の桟により格子状に構成される整位板部に対し、入れ子状に取り付けられて積層紙葉類を載置する櫛歯状の載置部を有し、この載置部に載置された積層紙葉類を前記整位板部に当接させて整位したのち前記載置部を上昇させて所定位置に供給する供給手段と、前記整位板部の桟間の隙間にその上下方向に亘って複数配設され、前記桟間の隙間への紙葉類の入り込みを規制する規制部材と、前記供給手段により供給された積層紙葉類から紙葉類を取出す取出手段とを具備する。
【発明の効果】
【０００７】
本発明によれば、格子状の整位板部の桟間に紙葉類の入り込みを規制する規制部材を設けるため、紙葉類が桟間の隙間から脱落することがなく、紛失を防止して良好に取出すことができる。
【発明を実施するための最良の形態】
【０００８】
以下、本発明を図面に示す実施の形態を参照して詳細に説明する。  
図１は本発明の一実施の形態である紙葉類の取出装置を示す斜視図である。
【０００９】
図中１は筐体で、この筐体１は底板部２と、両側板部３，４と、背面側の整位板部としての格子部５とによって構成され、この筐体１の上部側には紙葉類Ｐを一枚ずつ取出す取出手段としての取出ローラ１１が設けられている。
【００１０】
筐体１内には、積層状態の紙葉類Ｐを載置する載置部としての第１のバックアップ部７及び第２のバックアップ部（図５に示す）８が設けられている。第１及び第２のバックアップ部７，８は同様に構成されているため、第１のバックアップ部７を代表して説明し、同一部分については同一符号を付してその説明を省略する。
【００１１】
第１のバックアップ部７は所定間隔を存して水平に配設される複数本の棒状体１０…を有して櫛歯状に構成されている。これら棒状体１０…の後端部は格子部５から後方に突出され、これら突出部は基材１３により固定保持されている。
【００１２】
格子部５は垂直状をなし、所定間隔を存して並列に配設される複数本の桟１２…によって構成されている。
【００１３】
上記した第１のバックアップ部７の複数本の棒状体１０…の後端部は格子部５を構成する桟１２，１２間の隙間Ｓから後方に突出され、上下方向及び前後方向に移動可能になっている。
【００１４】
上記第１のバックアップ部７には駆動機構２１が接続され、駆動機構２１により上下方向及び前後方向に移動されるようになっている。第１のバックアップ部７と駆動機構２１により供給手段としての供給機構２２が構成されている。
【００１５】
なお、第２のバックアップ部８も第１のバックアップ部７と同様に駆動機構２１により上下方向及び前後方向に移動され、第１のバックアップ部７と交互に筐体１内に出入されて積層紙葉類を載置し取出ローラ１１に供給するようになっている。
【００１６】
図２は上記した格子部５の一部を拡大して示すものである。
【００１７】
格子部５を構成する桟１２，１２間の隙間Ｓには、上下方向に亘って所定間隔を存して規制部材としてのブラシ材１４…が多数配設されている。ブラシ材１４…は桟１２の両側面部にそれぞれ取付けられている。ブラシ材１４…は柔軟な材質、例えば、ナイロン系樹脂材により成形され、第１及び第２のバックアップ部７，８の棒状体１０…の上下方向の移動時には弾性変形してその移動を妨げることのないようになっている。ブラシ材１４…の上下方向の取付ピッチは紙葉類Ｐの短手方向の長さより短くされ、桟１２，１２間の隙間Ｓへの紙葉類Ｐの入り込みを規制できるようになっている。
【００１８】
次に、上記したように構成される紙葉類取出装置の動作を図３〜図５を参照して説明する。
【００１９】
まず、図３（ａ）、図４（ａ）、図５（ａ）に示すように、最下位に位置する第１のバックアップ部７上に積層紙葉類Ｐを載置する。この載置後、第１のバックアップ部７を図３（ｂ），（ｃ）、及び図４（ｂ），（ｃ）に示すように上昇させて図３（ｄ），図４（ｄ）、及び図５（ｂ）に示すように積層紙葉類Ｐの上面部を取出ローラ１１に接触させる。
【００２０】
この接触後、取出ローラ１１が回転されて紙葉類Ｐが一枚ずつ取出される。この取出しに伴なって第１のバックアップ部７は少しずつ上昇し、紙葉類Ｐがなくなると、上昇を停止する。この停止後、第１のバックアップ部７は図５（ｃ）に示すように後退されて筐体１内から奥側に退避される。このとき、奥側に位置していた第２のバックアップ部８が前進されて櫛歯状の棒状体１０…を格子部５の桟１２間の隙間Ｓから挿入させて筐体１内に差し込む。こののち、筐体１内に差し込まれた第２のバックアップ部８上に積層紙葉類Ｐを載置する。以後、順次同様の動作を繰り返して紙葉類Ｐの取出しを継続する。
【００２１】
なお、上記した図４（ｂ），（ｃ）に示す第１及び第２のバックアップ部７，８の上昇時には、その棒状体１０…がブラシ材１４に当接するが、ブラシ材１４は柔軟性を有しているため、図６（ａ），（ｂ）に示すように、棒状体１０…にって押し上げられることにより弾性変形し棒状体１０…の移動を妨げることはない。
【００２２】
ところで、上記紙葉類Ｐの取出動作中において、紙葉類Ｐが傾くなどして格子部５の桟１２，１２間の隙間Ｓに入り込んで奥側に落下しようとすることがある。
【００２３】
しかし、格子部５の桟１２，１２間の隙間Ｓには図２でも示したように進入規制用のブラシ材１４が多数配設されているため、紙葉類Ｐが桟１２，１２間の隙間Ｓに入り込もうとしてもブラシ材１４…に当接してその進入が規制される。従って、紙葉類Ｐの奥側への落下は確実に防止されることになる。
【００２４】
上記したように、この実施の形態においては、格子部５の桟１２，１２間の隙間Ｓに進入規制用のブラシ材１４を配設するため、紙葉類Ｐの奥側への落下を確実に防止でき、紙葉類Ｐを紛失させてしまうようなことがない。
【００２５】
なお、本発明は上記一実施の形態に限られることなく、その要旨の範囲内で種々変形実施可能なことは勿論である。
【図面の簡単な説明】
【００２６】
【図１】本発明の一実施の形態である紙葉類取出装置を示す斜視図。
【図２】同実施の形態の格子部の桟間に配設される進入規制用のブラシ材を示す図。
【図３】同実施の形態の紙葉類の取出し動作を示す斜視図。
【図４】同実施の形態の紙葉類の取出し動作を示す正面図。
【図５】同実施の形態の紙葉類の取出し動作を示す側面図。
【図６】図２のブラシ材の動作を示す図。
【符号の説明】
【００２７】
Ｐ…積層紙葉類、５…格子部（整位板部）、７…第１のバックアップ部（載置部）、８…第２のバックアップ部（載置部）、１１…取出ローラ（取出手段）、１２…桟、Ｓ…隙間、２２…供給機構（供給手段）、１４…ブラシ材（規制部材）。
【図１】
2005170534.tif 000003
【図２】
2005170534.tif 000004
【図３】
2005170534.tif 000005
【図４】
2005170534.tif 000006
【図５】
2005170534.tif 000007
【図６】
2005170534.tif 000008